(57)【要約】      （修正有）【課題】紙模型を作動させることにより親近感と興味を誘発することはもとより、様々な応用を可能にしたペーパークラフト駆動玩具を提供する。【解決手段】動力によって動く少なくとも一つの作動部４２０を有する駆動装置と、紙の上に形成された展開図に基づいて製作された複数の模型ユニット２２０ａ、２２０ｂ、２２０ｃが、駆動装置の外側に組立結合されて玩具の形態をとり、模型ユニット２２０ａ、２２０ｂ、２２０ｃのうち少なくとも一つが作動部４２０に着脱可能に結合される紙模型とを備えることを技術的要旨とする。【選択図】図４
2020168390.tif 000002
【特許請求の範囲】
【請求項１】
動力によって動く少なくとも一つの作動部を有する駆動装置と；
紙の上に形成された展開図に基づいて製作された複数の模型ユニットが、前記駆動装置の外側に組立結合されて玩具の形態をとり、前記模型ユニットのうち少なくとも一つが前記作動部に着脱可能に結合される紙模型と；を備えることを特徴とするペーパークラフト駆動玩具。
【請求項２】
前記駆動装置は、
所定の音響を出力するスピーカー部と、所定のパターンで発光する照明部と、一側に設けられ、既定された識別対象をスキャンする読み取り部と、を備えることを特徴とする請求項１に記載のペーパークラフト駆動玩具。
【請求項３】
前記紙模型は、前記模型ユニットのうちいずれか一つの一側には、前記読み取り部によってスキャンされる被識別部が形成されることを特徴とする請求項１に記載のペーパークラフト駆動玩具。
【請求項４】
前記駆動装置の作動部には、所定の磁力を有する磁石が設けられ、前記作動部に結合される模型ユニットには、前記磁石にくっつく磁性体が設けられることを特徴とする請求項１に記載のペーパークラフト駆動玩具。
【請求項５】
前記読み取り部は、非接触型近距離無線通信リーダ又はバーコードスキャンカメラからなり、前記被識別部は、前記読み取り部によってスキャン可能な電子タグ又はバーコードからなることを特徴とする請求項１に記載のペーパークラフト駆動玩具。
【請求項６】
前記駆動装置は、
前記作動部の駆動及び制御のための電子素子が集積されたボードと、前記ボードを収容するケースとからなり、一側には、前記作動部と前記模型ユニットが面するように開口部を有する連通孔が形成された本体を備えることを特徴とする請求項１に記載のペーパークラフト駆動玩具。
【請求項７】
前記ボードには、前記作動部と電気的に接続された通信モジュールが設けられ、近距離通信を介してスマートフォンと相互通信可能に接続され、前記作動部は、前記スマートフォンに既設されたリモートコントロールアプリケーションによって制御されることを特徴とする請求項６に記載のペーパークラフト駆動玩具。
【請求項８】
前記作動部は、複数の駆動部材の組み合わせにより回転作動、上下作動、左右作動、曲線作動及びピストン作動のうちの少なくとも一つの作動方式で動き、
前記スマートフォンのリモートコントロールアプリケーションによって前記作動方式のうちいずれか一つが選択されて前記作動部が制御される請求項７に記載のペーパークラフト駆動玩具。
【請求項９】
前記複数の模型ユニットのうちいずれか一つは、前記駆動装置の本体に接面結合する胴体部模型ユニットであり、内側面に被識別部が形成され、前記被識別部は、前記胴体部模型ユニットと前記本体との結合時に前記読み取り部と対応する箇所に配置され、前記読み取り部によってスキャンされることを特徴とする請求項６に記載のペーパークラフト駆動玩具。
【請求項１０】
前記被識別部は、前記紙模型の種類に応じて異なる入力をされた識別情報を含み、
前記スピーカー部、前記照明部及び前記作動部のうち少なくとも一つは、前記読み取り部からスキャンされた識別情報に基づいて既定されたアルゴリズムによって駆動され、
前記ボードには、前記スピーカー部と照明部と作動部及び読み取り部と電気的に接続された通信モジュールが設けられ、近距離通信を介してスマートフォンと相互通信可能に接続され、
前記スピーカー部と照明部と作動部及び読み取り部のうちの少なくとも一つは、前記スマートフォンに既設されたリモートコントロールアプリケーションによって制御されることを特徴とする請求項９に記載のペーパークラフト駆動玩具。
【発明の詳細な説明】
【技術分野】
【０００１】
本発明は、ペーパークラフト駆動玩具に係り、さらに詳しくは、紙模型を作動させることにより親近感と興味を誘発することはもとより、様々な応用を可能にしたペーパークラフト駆動玩具に関する。
【背景技術】
【０００２】
紙の上に形成された展開図に基づいて製作された紙模型を用いたペーパートイやペーパークラフトは、子供や青少年たちの遊びや教育を目的として汎用されている。
【０００３】
ペーパートイやペーパークラフトの例としては、韓国登録特許第１０−１２５４４５８号に開示されている「紙模型玩具」（以下、「特許文献１」）と、韓国登録実用新案第２０−４４１０７１号に開示されている「昆虫模型ＤＩＹ組み立てキット」（以下、「特許文献２」）とが挙げられる。
【０００４】
特許文献１は、各構成要素別に形成された紙を折り曲げ、接着することにより、立体的な模型の玩具を簡便に製作することができる紙模型玩具に関するものである。
【０００５】
特許文献２は、昆虫模型が発光部により発光したり点滅したりすることができ、偏心モーターにより駆動されて移動し得る構成が開示されている。
【０００６】
しかし、これらの先行技術は、単にペーパートイやペーパークラフトの用途に限定せざるを得ないが、展開図に基づいて紙を組み立てる従来のペーパークラフトのカテゴリから大きく逸脱しないものであるので、ユーザーに対して、ペーパートイを作製した後（ペーパートイの組み立て完了後）には興味を誘発させ難いという問題がある。
【０００７】
また、展開図において、ユーザーのレベルを考慮した様々な難易度のものが存在しないため、近来増えている、成人のうちペーパークラフトの製作に興味を持つキダルト（kidult）族の好みにかなうペーパートイが提供されていない。
【０００８】
したがって、体積が大きくて重い書籍の代わりに、ペーパートイやペーパークラフトとともに連携的なプレーや創造性の向上に役立ち、持続的な興味及び所蔵欲求を刺激することができる装置及びツールの開発が要求されているのが現状である。
【発明の概要】
【発明が解決しようとする課題】
【０００９】
前述した背景技術で導出された問題を解決するための本発明の目的は、紙模型を動作させることにより、親近感と興味を持続的に誘発させることはもとより、ユーザーのレベルを考慮した様々な難易度とデザインを適用することにより、遊びとともに創造性の向上に役立ち、所蔵欲求を刺激することができる紙模型を用いた組み立て式駆動玩具を提供することである。
【００１０】
一方、本発明の目的は、以上で言及した目的に制限されず、言及されていない他の目的は、下記の記載から当業者に明確に理解されるであろう。
【課題を解決するための手段】
【００１１】
上記目的を達成するための本発明は、実施形態に基づいて、動力によって動く少なくとも一つの作動部を有する駆動装置と；紙の上に形成された展開図に基づいて製作された複数の模型ユニットが、前記駆動装置の外側に組立結合されて玩具の形態をとり、前記模型ユニットのうち少なくとも一つが前記作動部に着脱可能に結合される紙模型と；を備える。
【００１２】
好ましくは、前記駆動装置は、所定の音響を出力するスピーカー部と、所定のパターンで発光する照明部と、一側に設けられ、既定された識別対象をスキャンする読み取り部と、を備える。
【００１３】
好ましくは、前記紙模型は、前記模型ユニットのうちいずれか一つの一側には、前記読み取り部によってスキャンされる被識別部が形成される。
【００１４】
好ましくは、前記駆動装置の作動部には、所定の磁力を有する磁石が設けられ、前記作動部に結合される模型ユニットには、前記磁石にくっつく磁性体が設けられる。
【００１５】
好ましくは、前記読み取り部は、非接触型近距離無線通信リーダ又はバーコードスキャンカメラからなり、前記被識別部は、前記読み取り部によってスキャン可能な電子タグ又はバーコードからなる。
【００１６】
好ましくは、前記駆動装置は、前記作動部の駆動及び制御のための電子素子が集積されたボードと、前記ボードを収容するケースとからなり、一側には、前記作動部と前記模型ユニットが面するように開口部を有する連通孔が形成された本体を備える。
【００１７】
好ましくは、前記ボードには、前記作動部と電気的に接続された通信モジュールが設けられ、近距離通信を介してスマートフォンと相互通信可能に接続され、前記作動部は、前記スマートフォンに既設されたリモートコントロールアプリケーションによって制御される。
【００１８】
好ましくは、前記作動部は、複数の駆動部材の組み合わせにより回転作動、上下作動、左右作動、曲線作動及びピストン作動のうちの少なくとも一つの作動方式で動き、前記スマートフォンのリモートコントロールアプリケーションによって前記作動方式のうちいずれか一つが選択されて前記作動部が制御される。
【００１９】
好ましくは、前記複数の模型ユニットのうちいずれか一つは、前記駆動装置の本体に接面結合する胴体部模型ユニットであり、内側面に被識別部が形成され、前記被識別部は、前記胴体部模型ユニットと前記本体との結合時に前記読み取り部と対応する箇所に配置され、前記読み取り部によってスキャンされる。
【００２０】
好ましくは、前記被識別部は、前記紙模型の種類に応じて異なる入力をされた識別情報を含み、前記スピーカー部、前記照明部及び前記作動部のうち少なくとも一つは、前記読み取り部からスキャンされた識別情報に基づいて既定されたアルゴリズムによって駆動される。
【００２１】
好ましくは、前記ボードには、前記スピーカー部と照明部と作動部及び読み取り部と電気的に接続された通信モジュールが設けられ、近距離通信を介してスマートフォンと相互通信可能に接続され、前記スピーカー部と照明部と作動部及び読み取り部のうちの少なくとも一つは、前記スマートフォンに既設されたリモートコントロールアプリケーションによって制御される。
【発明の効果】
【００２２】
本発明によれば、次のような効果を期待することができる。
【００２３】
第一に、様々な難易度及びデザインに基づいた展開図の紙模型を製作し、これを駆動装置と連動させて、紙模型の種類によって種々の方法で作動させることにより、紙模型に対して親近感、さらに躍動感を感じらせることができ、ユーザーの興味誘発及び所蔵欲求を継続的に呼び起こすことができるという効果がある。
【００２４】
第二に、体積が大きくて重い書籍や玩具の代わりに、展開図を用いて教育や遊びに関連した紙模型を直接製作し、これを駆動装置と連動させて、教育や遊びと連携することができるので、創造性の向上に寄与することができるという効果がある。
【００２５】
第三に、磁石と磁性体を用いて、様々なデザインの紙模型を駆動装置の作動部に容易に着脱することができるので、状況に応じて種々のデザインの紙模型をすぐに交換して用いることができるので、老若男女問わず誰でも簡単に取り扱うことはもとより、教育や遊び時にユーザーに持続的な関心を誘導することができるという効果がある。
【００２６】
第四に、駆動装置に複数の機能を有するモジュールを取り付け、スマートフォンと連動させて無限の応用が可能であるので、様々な種類の製品にまで拡張可能であるという効果がある。
【図面の簡単な説明】
【００２７】
【図１】本発明の紙模型を製作するための基礎となる展開図の一例を示す例示図である。
【図２】本発明の構成要素のうち紙模型の一例を示す斜視図である。
【図３】本発明の構成要素のうち駆動装置の一例を示す斜視図である。
【図４】本発明の紙模型と駆動装置が組み立てられる前の状態を示す分解斜視図である。
【図５】及び
【図６】本発明の読み取り部が被識別部をスキャンする実施形態を示す概念図である。
【図７】乃至
【図１０】本発明の駆動装置で実施することができる作動部のそれぞれの一例を示す概念図である。
【図１１】本発明の紙模型と駆動装置が組み立てられた状態を示す結合斜視図である。
【図１２】図１１の駆動装置に着脱可能に取り付けられた紙模型を、他の紙模型に取り換えた状態を示す結合斜視図である。
【発明を実施するための形態】
【００２８】
本発明の利点及び特徴、そしてそれらを達成する方法は、添付図面と共に詳細に後述する実施形態を参照すると明確になるであろう。しかし、本発明は、以下に開示される実施形態に限定されるものではなく、相異なる多様な形態に具現されるものであり、単に本実施形態は、本発明の開示を完全にし、本発明が属する技術分野における通常の知識を有する者に発明の範疇を完全に知らせるために提供されるものである。また、本明細書で使用される用語は、実施形態を説明するためのものであり、本発明を制限しようとするものではない。本明細書の全体にわたり、単数形の表現は、特に言及しない限り、その複数形の概念をも含む。
【００２９】
以下、添付図面を参照して本発明の好ましい実施形態について詳細に説明する。一方、当該技術分野における通常の知識を有する者が容易に理解可能な構成とそれについての作用及び効果についての図示及び詳細な説明は簡略化又は省略し、本発明と関連する箇所を中心に詳細に説明する。
【００３０】
本発明の実施形態に係るペーパークラフト駆動玩具は、駆動装置４００と、紙模型２００とに大別され、図１乃至図１２を参照して具体的に説明する。加えて、図面に基づいて、説明の便宜上、紙模型２００を先に説明し、その後、駆動装置について説明する。
【００３１】
まず、紙模型２００を説明すると、図１に示す展開図に基づいて紙を切り取り、折り畳み、折り曲げ及び接着させることにより、所定の立体形状の模型ユニットを複数製作し、後述する駆動装置の外側に組立結合することにより玩具形状を作り出す。すなわち、図２のような模型ユニット２２０ａ、２２０ｂ、２２０ｃが複数製作される。ここで、図１の展開図と図２の模型ユニット２２０ａ、２２０ｂ、２２０ｃは、互いに関連したものではなく、一つの例示に過ぎないものである。
【００３２】
前記模型ユニット２２０ａ、２２０ｂ、２２０ｃのうちの少なくとも一つは、後述する駆動装置４００の作動部４２０に着脱可能に結合されて生き生きとした感じで動くようになる。
【００３３】
ここで、前記作動部４２０に結合される模型ユニット２２０ａには、磁性体２２２ａが設けられるが、この時、前記作動部４２０には、前記磁性体２２２ａがくっつく磁石４２２が設けられるので、模型ユニット２２０ａが作動部４２０に容易に着脱することができる。このような磁性体２２２ａは、模型ユニット２２０ａが作動部４２０と接面する箇所に設けられ、前記模型ユニット２２０ａと前記作動部４２０との間でより強固な磁力付着が行われる。
【００３４】
なお、前記作動部４２０に結合される模型ユニット２２０ａは、前記作動部４２０に直接接して着脱可能に取り付けられるが、これに限定せずに、前記作動部４２０を取り囲む他の模型のユニットの上に重ね当てて磁力により着脱可能に取り付けられることはもちろんである。例えば、図１１に示すように駆動装置４００を取り囲む胴体部模型ユニット２２０ｂの上に頭部模型ユニット２２０ａが取り付けられる。
【００３５】
さらに、前記胴体部模型ユニット２２０ｂには、図４に示すようにガイド線２２４cが形成されることが好ましいが、このガイド線２２４cは、胴体部模型ユニット２２０ｂが作動部４２０を取り囲みながら結合したとき、前記作動部４２０に取り付けられる頭部模型ユニット２２０ａの取付位置を正確に案内する役割をする。
【００３６】
一方、前記模型ユニット２２０ａ、２２０ｂ、２２０ｃのうちいずれか一つの一側には、図２に示すように、駆動装置４００の読み取り部４９０によってスキャンされる被識別部２２４ｂが形成されるが、これは後述する駆動装置４００の説明で具体的に説明する。
【００３７】
次に、駆動装置４００は、図３に示すように、所定の音響を出力するスピーカー部４６０と、所定のパターンで発光する照明部４４０と、動力によって動く少なくとも一つの作動部４２０と、を備える。このようなスピーカー部４６０と照明部４４０及び作動部４２０は、前記紙模型２００と調和がとれるように駆動されて、駆動装置４００に組立結合された紙模型２００が生き生きとした様子で動けるようにする。
【００３８】
図３に示すように、前記作動部４２０には、所定の磁力を有する磁石４２２が配設されるが、このような磁石４２２は、好ましくは、磁性体２２２ａが形成された模型ユニット２２０ａの着脱を容易にするために前記作動部４２０の上部表面部に配設される。このように磁石４２２が配設された作動部４２０は、模型ユニット２２０ａの着脱に際して、別の結合手段や結合構造を必要としないため、構成を簡単にすることはもとより、着脱を容易に行うことができる。のみならず、結合手段や結合構造の故障や破損により模型ユニットの着脱が不可能になる状況が発生しないため、耐久性の向上を図ることができる。
【００３９】
ここで、前記駆動装置４００に、既定された識別対象をスキャンする読み取り部４９０が形成される。この読み取り部４９０は、前記紙模型２００の被識別部２２４ｂをスキャンして紙模型２００の種類や形態に応じた識別情報を取得する。
【００４０】
すなわち、図２乃至図４に示すように、前記複数の模型ユニットのうちいずれか一つは、前記駆動装置４００の本体４１０に接面結合する胴体部模型ユニット２２０ｂであり、内側面に被識別部２２４ｂが形成される。この被識別部２２４ｂは、前記胴体部模型ユニット２２０ｂと前記本体４１０との結合時に前記読み取り部４９０と対応する箇所に配置され、前記読み取り部４９０によってスキャンされる。
【００４１】
また、前記読み取り部４９０は、図５に示すように、非接触型近距離無線通信リーダ４９０−ＲＦＩＤ（Radio Frequency Identification：無線周波数識別）からなり得、この時、前記被識別部は、前記リーダ４９０（ＲＦＩＤ）によってスキャン可能な電子タグ２２４ｂ−ＲＦＩＤからなることが望ましい。このような方式は、周波数を用いてＩＤを識別するＲＦＩＤ（Radio Frequency Identification：無線周波数識別）システムのようなものであり、超小型のチップからなる被識別部に保存された紙模型の識別情報をリーダ４９０−ＲＦＩＤを介して読み取って制御モジュールに送信する。
【００４２】
したがって、前記制御モジュールは、送信された識別情報に基づいてスピーカー部４６０と照明部４４０及び作動部４２０を制御する。すなわち、前記スピーカー部４６０と照明部４４０及び作動部４２０は、駆動装置に組立結合される紙模型２００の種類に応じて異なる動作をすることにより、ユーザーの興味を誘発し、持続的な関心を誘導することができる。
【００４３】
ここで、前記制御モジュールは、ＭＣＵ（Micro Controller Unit：マイクロコントローラーユニット）などの特定のシステムを制御するための専用プロセッサを備えることができ、駆動装置４００の種類に応じた特定の目的の機能を行うソフトウェアを取り入れて様々な機能を発揮できるようにする。この時、前記ソフトウェアには、前記スピーカー部４６０と照明部４４０及び作動部４２０を既定されたタイプで駆動できるように制御する駆動アルゴリズムなどが備えられる。
【００４４】
さらに、前記読み取り部４９０及び被識別部２２４ｂは、ＲＦＩＤシステムから拡張された概念であるＮＦＣ（Near Field Communication：近距離通信）システムで具現でき、前記ＮＦＣとは、１３.５６Ｍｈｚの周波数帯を使用する非接触型近距離無線通信モジュールのことであり、１０ｃｍ以内の近距離でデータを送信する技術である。
【００４５】
前記ＮＦＣは、タグが内蔵されたアクティブモードでも作動することができ、タグとしての機能に加えて、タグを読み取るリーダの機能、タグに情報を入力するライターの機能をも行うことができる。
【００４６】
また、前記読み取り部は、図６に示すように、バーコードスキャンカメラ４９０−ＱＦからなり得、この時、前記被識別部は、前記カメラによってスキャン可能なバーコード２２４ｂ−ＱＲからなることが望ましい。
【００４７】
ここで、バーコード２２４ｂ−ＱＲは、胴体部模型ユニット２２０ｂの内側面に永久的に印刷された状態を維持することができ、情報の配列においては、様々な太さの複数の線を一方向に配列したものであって、その線の並び及び間隔で文字を表現する１次元のバーコードを用いても良く、様々な太さや長さを有する複数の矩形を、縦方向及び横方向に配列したものであって、その矩形の並び（位置関係）およびその間隔等で文字を表現する２次元バーコードを用いてもよい。２次元バーコードとしては、ＱＲコード（登録商標）、データマトリックス、ＰＤＦ４１７、Ｍａｘｉ  Ｃｏｄｅが挙げられ、本発明では、スマート機器のカメラ認識環境での作動を容易にするＱＲコード（登録商標）とデータマトリックスを用いることが望ましい。
【００４８】
すなわち、バーコード２２４ｂ−ＱＲからなる被識別部は、紙模型２００の種類を区別する情報を有しており、その特有の線配列や形状などをカメラ４９０−ＱＲが識別することにより、ＭＣＵを介して前記紙模型２００の種類に応じた駆動アルゴリズムを実行する。
【００４９】
上記で例示したように、前記被識別部２２４ｂは、前記紙模型２００の種類に応じて異なる入力をされた識別情報を含み、前記スピーカー部４６０、前記照明部４４０、及び前記作動部４２０のうちの少なくとも一つは、前記読み取り部４９０からスキャンされた識別情報に基づいて既定されたアルゴリズムによって駆動される。
【００５０】
一方、前記駆動装置４００は、図３に示すように、前記スピーカー部４６０と照明部４４０と作動部４２０及び読み取り部４９０の駆動及び制御のための電子素子が集積されたボード４３０と、前記ボード４３０を収容するケースとからなり、外側に、前記スピーカー部４６０と照明部４４０と作動部４２０及び読み取り部４９０が取り付けられ、一側には、前記作動部４２０と前記胴体部模型ユニット２２０ｂが面するように開口部を有する連通孔が形成された本体を備える。
【００５１】
さらに、図示せずが、前記ボード４３０には、前記作動部４２０と電気的に接続された通信モジュールが設けられ、近距離通信を介してスマートフォンと相互通信可能に接続できるようになる。そこで、前記スマートフォンに既設されたリモートコントロールアプリケーションを用いて前記作動部４２０を無線制御できるようになる。のみならず、前記リモートコントロールアプリケーションを介して前記作動部４２０はもとより、駆動装置４００に取り付けられたすべての電気的構成を制御することができるというのは言うまでもない。
【００５２】
ここで、図３に示す作動部４２０は、回転作動可能になっているが、これに限らず、回転作動、上下作動、左右作動、曲線作動及びピストン作動のうちの少なくとも一つの作動方式により動ける。勿論、作動方式に応じて異なる内部機械的構成と構造を有することは周知の事項であり、別の説明は省略する。
【００５３】
図７は、作動部４２０ａの上下作動を示す概念図であり、図８は、作動部４２０ｂの左右作動を示す概念図であり、図９は、作動部４２０ｃの曲線作動を示す概念図であり、図１０は、作動部４２０dのピストン作動を示す概念図である。
【００５４】
たとえば、回転作動する作動部４２０には、戦車の砲塔のような回転に関連した模型ユニットが取り付けられるように、それぞれの作動部には、その作動方式に関連した模型ユニットが取り付けられることが望ましい。
【００５５】
さらに、ボード４３０には、前記スピーカー部４６０と照明部４４０と作動部４２０及び読み取り部４９０と電気的に接続された通信モジュール（図示せず）が設けられ、近距離通信を介してスマートフォンと相互通信可能に接続される。
【００５６】
そこで、前記スマートフォンに既設されたリモートコントロールアプリケーションを用いて、前記スピーカー部４６０と照明部４４０及び作動部４２０のうちの少なくとも一つを無線制御することができる。ここで、通信モジュールは、近距離通信を介してインターネットに接続することができ、イーサネット（登録商標）、Ｗｉ-ｆｉ（Wireless Fidelity）、ブルートゥース（登録商標）、ジグビー、ＵＷＢ（Ultra Wide Band：超広帯域無線）、Wireless ＵＳＢ（無線ＵＳＢ）など、物事の構成及び設置環境に応じて様々なタイプの中から選択することができる。
【００５７】
一方、図４と図７乃至及び図１１に示すように、紙模型２００をなす模型ユニットのうちいずれか一つにはバーコードの形の識別コード２２６ｂが形成でき、この識別コード２２６ｂは、スマートフォンによってスキャンされ、当該スマートフォンにリモートコントロールアプリケーションが設けられるようにする。
例えば、前記識別コード２２６ｂには、数字又は文字からなるＷｅｂサイトのアドレス情報が記録され得、スマートフォンのカメラを用いて認識を行い、当該Ｗｅｂサイトに接続される。そこで、前記ウェブサイトに登録されているリモートコントロールアプリケーションが、ユーザーの選択によって前記スマートフォンにダウンロード及びインストールされる。インストールされたリモートコントロールアプリケーションは、スマートフォンと駆動装置の通信モジュールと連動して、スピーカー部４６０と照明部４４０及び作動部４２０をリモートコントロールすることができる。
【００５８】
したがって、前記リモートコントロールアプリケーションは、紙模型２００が組立結合された駆動装置４００をリモートコントロールすることができるようになり、特に図１１及び図１２に示すように、作動部４２０が回転することにより、磁力により取り付けられている頭部模型ユニット２２０ａ、２４０ａが、前記作動部４２０と連動して回転するようになる。
【００５９】
のみならず、様々な形の模型ユニットを前記作動部４２０に取り付けることにより、一つの駆動装置４００で様々な形態に形を変えた駆動玩具を用いることができる。すなわち、図１１に示すミサイル形状の模型ユニット２２０ａを取り付けて作動させるうちに、他の形状に交換したいときは、前記ミサイル形状の模型ユニット２２０ａを取り外し、図１２に示す砲塔形状の模型ユニット２４０ａに取り換えることにより、簡単に玩具の形状を変えて用いることができる。
【００６０】
以上、説明した本発明の実施形態によれば、次のような効果を期待することができる。
【００６１】
第一に、様々な難易度及びデザインに基づいた展開図の紙模型を製作し、これを駆動装置と連動させて、紙模型の種類によって種々の方法で作動させることにより、紙模型に対して親近感、さらに躍動感を感じらせることができ、ユーザーの興味誘発及び所蔵欲求を継続的に呼び起こすことができるという効果がある。
【００６２】
第二に、体積が大きくて重い書籍や玩具の代わりに、展開図を用いて教育や遊びに関連した紙模型を直接製作し、これを駆動装置と連動させて、教育や遊びと連携することができるので、創造性の向上に寄与することができるという効果がある。
【００６３】
第三に、磁石と磁性体を用いて、様々なデザインの紙模型を駆動装置の作動部に容易に着脱することができるので、状況に応じて様々なデザインの紙模型をすぐに交換して用いることができるので、老若男女問わず誰でも簡単に取り扱うことはもとより、教育や遊び時にユーザーに持続的な関心を誘導することができるという効果がある。
【００６４】
第四に、駆動装置に複数の機能を有するモジュールを取り付け、スマートフォンと連動させて無限の応用が可能であるので、様々な種類の製品にまで拡張可能であるという効果がある。
【００６５】
以上では、後述する発明の請求の範囲をより一層理解できるように、本発明の特徴及び技術的利点をやや幅広く詳述した。本発明が属する技術分野の通常の知識を有する者は、本発明がその技術的思想や必須の特徴を変更せず、他の具体的な形で実施できるということを理解できるであろう。したがって、以上で記述した実施形態は、すべての面で例示的なものであり限定的なものではないと理解すべきである。本発明の範囲は、上記詳細な説明ではなく、後述する特許請求の範囲に示すものであって、特許請求の範囲及びその均等概念から導き出されるすべての変更又は変形された形態は、本発明の範囲に含まれるものと解釈されるべきである。
【図１】
2020168390.tif 000003
【図２】
2020168390.tif 000004
【図３】
2020168390.tif 000005
【図４】
2020168390.tif 000006
【図５】
2020168390.tif 000007
【図６】
2020168390.tif 000008
【図７】
2020168390.tif 000009
【図８】
2020168390.tif 000010
【図９】
2020168390.tif 000011
【図１０】
2020168390.tif 000012
【図１１】
2020168390.tif 000013
【図１２】
2020168390.tif 000014